(57)【特許請求の範囲】
【請求項１】
一方の建物の通路の壁に形成された一方の渡り通路用開口部と、この一方の渡り通路用開口部と目地部を介して設けられた他方の建物の通路の壁に形成された他方の渡り通路用開口部と、前記一方の渡り通路用開口部側の床面に所定間隔で後端部が枢支され、先端部が前記他方の渡り通路用開口部の床面のほぼ中央部にスライド移動可能に支持された複数個の支持バーと、この複数個の支持バーの先端部を、該複数個の支持バーの軸心方向にスライド移動可能で、かつ軸心と直角方向に移動を阻止する位置決め機構と、前記他方の渡り通路用開口部が形成された左右部位の床面との間の壁に形成された左右の切欠部と、前記複数個の支持バーの中央部寄りの２個の支持バーに枢支された、該複数個の支持バーを覆う、前記渡り通路用開口部の両端部よりも両端部が外方へ突出する複数個の目地プレートと、前記一方と他方の渡り通路用開口部の端部間を伸縮可能に覆う一対の伸縮手摺とからなることを特徴とする渡り通路の目地装置。
【請求項２】
一方の建物の通路の壁に形成された一方の渡り通路用開口部と、この一方の渡り通路用開口部と目地部を介して設けられた他方の建物の通路の壁に形成された他方の渡り通路用開口部と、この他方の渡り通路用開口部が形成された部位の床面に敷設された支持プレートと、前記一方の渡り通路用開口部側の床面に所定間隔で後端部が枢支され、先端部が前記支持プレートのほぼ中央部にスライド移動可能に支持された複数個の支持バーと、この複数個の支持バーの先端部寄りの部位に枢支された、該複数個の支持バーを所定間隔に支持する接続バー、複数個の支持バーを軸心方向にスライド移動させる、前記支持プレートに形成されたガイドレールおよび、該ガイドレールに沿ってスライド移動可能な前記支持バーあるいは接続バーに取付けられたガイド片とからなる位置決め機構と、前記他方の渡り通路用開口部が形成された左右部位の床面との間の壁に形成された左右の切欠部と、前記複数個の支持バーの中央部寄りの２個の支持バーに枢支された、該複数個の支持バーを覆う、前記渡り通路用開口部の両端部よりも両端部が外方へ突出する複数個の目地プレートとからなることを特徴とする渡り通路の目地装置。
【請求項３】
一方の建物の通路の壁に形成された一方の渡り通路用開口部と、この一方の渡り通路用開口部と目地部を介して設けられた他方の建物の端部通路の端部壁に形成された他方の渡り通路用開口部と、前記一方の渡り通路用開口部側の目地部側の床面にほぼ水平方向に取付けられたガイドレールと、このガイドレールにスライド移動可能に取付けられた、前記一方の渡り通路用開口部の幅寸法よりも少なくとも１．５倍の長さのスライドバーと、このスライドバーに所定間隔で後端部が枢支され、先端部が前記他方の渡り通路用開口部の床面ほぼ中央部にスライド移動可能に支持された複数個の支持バーと、この複数個の支持バーの先端部に枢支された接続バーと、この接続バーを回動可能でかつ前記支持バーの軸心方向にスライド移動可能に支持する支持部材と、前記複数個の支持バーの中央部寄りの２個の支持バーに枢支された、該複数個の支持バーを覆う複数個の目地プレートと、一端部が前記他方の渡り通路用開口部の外側部位の外側壁面あるいは床面に枢支され、他端部が該外側壁面と対応する部位の、前記一方の渡り通路用開口部の外側端部の壁面あるいは床面とに枢支された伸縮可能な外側伸縮手摺と、一端部が前記外側壁面と対応する部位の内側壁面あるいは床面に枢支され、他端部が前記一方の渡り通路用開口部の内側端部部位へ前記スライドバーに立設された支柱に枢支された伸縮可能な内側伸縮手摺と、この内側伸縮手摺の支柱に一端部が取付けられ、他端部が前記スライドバーの端部に取付けられた開口防止手摺とからなることを特徴とする渡り通路の目地装置。
【発明の詳細な説明】
【技術分野】
【０００１】
本発明は隣り合う建物の間の目地部が狭い場合の渡り通路の目地装置に関する。
【背景技術】
【０００２】
従来の渡り通路の目地装置は上部が開口したコ字状のフレームを、該フレームの軸心方向にスライド移動可能に一方の建物の外部通路に取付けるとともに、先端部の両側部より外方へ突出する両側フレームを他方の建物の外壁面にスライド移動可能に取付けている。
【０００３】
このため、一方の建物の外部通路と他方の建物の外部通路との間の目地部が狭いと、コ字状のフレームは使用すると目地部が狭くなるように揺れ動いた場合には、コ字状のフレームの側壁によって外部通路が閉じられるため、使用できない
という欠点があった。
【特許文献１】特許第３０９５３５９号
【発明の開示】
【発明が解決しようとする課題】
【０００４】
本発明は以上のような従来の欠点に鑑み、一方の建物の外部通路等の通路と、他方の建物の外部通路等の通路との間の目地部が狭いところに、目地部が狭くなっても、広くなっても安全に床部分の目地部を覆うことができる渡り通路の目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物の通路の壁に形成された一方の渡り通路用開口部と、この一方の渡り通路用開口部と目地部を介して設けられた他方の建物の通路の壁に形成された他方の渡り通路用開口部と、前記一方の渡り通路用開口部側の床面に所定間隔で後端部が枢支され、先端部が前記他方の渡り通路用開口部の床面のほぼ中央部にスライド移動可能に支持された複数個の支持バーと、この複数個の支持バーの先端部を、該複数個の支持バーの軸心方向にスライド移動可能で、かつ軸心と直角方向に移動を阻止する位置決め機構と、前記他方の渡り通路用開口部が形成された左右部位の床面との間の壁に形成された左右の切欠部と、前記複数個の支持バーの中央部寄りの２個の支持バーに枢支された、該複数個の支持バーを覆う、前記渡り通路用開口部の両端部よりも両端部が外方へ突出する複数個の目地プレートと、前記一方と他方の渡り通路用開口部の端部間を伸縮可能に覆う一対の伸縮手摺とで渡り通路の目地装置を構成している。
【０００７】
本発明は一方の建物の通路の壁に形成された一方の渡り通路用開口部と、この一方の渡り通路用開口部と目地部を介して設けられた他方の建物の端部通路の端部壁に形成された他方の渡り通路用開口部と、前記一方の渡り通路用開口部側の目地部側の床面にほぼ水平方向に取付けられたガイドレールと、このガイドレールにスライド移動可能に取付けられた、前記一方の渡り通路用開口部の幅寸法よりも少なくとも１．５倍の長さのスライドバーと、このスライドバーに所定間隔で後端部が枢支され、先端部が前記他方の渡り通路用開口部の床面ほぼ中央部にスライド移動可能に支持された複数個の支持バーと、この複数個の支持バーの先端部に枢支された接続バーと、この接続バーを回動可能でかつ前記支持バーの軸心方向にスライド移動可能に支持する支持部材と、前記複数個の支持バーの中央部寄りの２個の支持バーに枢支された、該複数個の支持バーを覆う複数個の目地プレートと、一端部が前記他方の渡り通路用開口部の外側部位の外側壁面あるいは床面に枢支され、他端部が該外側壁面と対応する部位の、前記一方の渡り通路用開口部の外側端部の壁面あるいは床面とに枢支された伸縮可能な外側伸縮手摺と、一端部が前記外側壁面と対応する部位の内側壁面あるいは床面に枢支され、他端部が前記一方の渡り通路用開口部の内側端部部位へ前記スライドバーに立設された支柱に枢支された伸縮可能な内側伸縮手摺と、この内側伸縮手摺の支柱に一端部が取付けられ、他端部が前記スライドバーの端部に取付けられた開口防止手摺とで渡り通路の目地装置を構成している。
【発明の効果】
【０００８】
以上の説明から明らかなように、本発明にあっては次に列挙する効果が得られる。
【０００９】
（１）一方の建物の通路の壁に形成された一方の渡り通路用開口部と、この一方の渡り通路用開口部と目地部を介して設けられた他方の建物の通路の壁に形成された他方の渡り通路用開口部と、前記一方の渡り通路用開口部側の床面に所定間隔で後端部が枢支され、先端部が前記他方の渡り通路用開口部の床面のほぼ中央部にスライド移動可能に支持された複数個の支持バーと、この複数個の支持バーの先端部を、該複数個の支持バーの軸心方向にスライド移動可能で、かつ軸心と直角方向に移動を阻止する位置決め機構と、前記他方の渡り通路用開口部が形成された左右部位の床面との間の壁に形成された左右の切欠部と、前記複数個の支持バーの中央部寄りの２個の支持バーに枢支された、該複数個の支持バーを覆う、前記渡り通路用開口部の両端部よりも両端部が外方へ突出する複数個の目地プレートと、前記一方と他方の渡り通路用開口部の端部間を伸縮可能に覆う一対の伸縮手摺とで構成されているので、目地部の幅寸法が狭くても、目地部が広くなったり、狭くなったりするように前後方向に揺れ動きが生じても、目地部に隙間が生じることなく覆うことができる。
したがって、安全に使用することができる。
【００１０】
（２）前記（１）によって、一方の建物と他方の建物が異なる左右方向に揺れ動いた場合には、複数個の支持バーが回動して、その揺れ動きを吸収することができる。
【００１１】
（３）前記（１）によって、構造が簡単で、容易に設置することができる。
【００１２】
（４）請求項2も前記（１）〜（３）と同様な効果が得られる。
【００１３】
（５）一方の建物の通路の壁に形成された一方の渡り通路用開口部と、この一方の渡り通路用開口部と目地部を介して設けられた他方の建物の端部通路の端部壁に形成された他方の渡り通路用開口部と、前記一方の渡り通路用開口部側の目地部側の床面にほぼ水平方向に取付けられたガイドレールと、このガイドレールにスライド移動可能に取付けられた、前記一方の渡り通路用開口部の幅寸法よりも少なくとも１．５倍の長さのスライドバーと、このスライドバーに所定間隔で後端部が枢支され、先端部が前記他方の渡り通路用開口部の床面ほぼ中央部にスライド移動可能に支持された複数個の支持バーと、この複数個の支持バーの先端部に枢支された接続バーと、この接続バーを回動可能でかつ前記支持バーの軸心方向にスライド移動可能に支持する支持部材と、前記複数個の支持バーの中央部寄りの２個の支持バーに枢支された、該複数個の支持バーを覆う複数個の目地プレートと、一端部が前記他方の渡り通路用開口部の外側部位の外側壁面あるいは床面に枢支され、他端部が該外側壁面と対応する部位の、前記一方の渡り通路用開口部の外側端部の壁面あるいは床面とに枢支された伸縮可能な外側伸縮手摺と、一端部が前記外側壁面と対応する部位の内側壁面あるいは床面に枢支され、他端部が前記一方の渡り通路用開口部の内側端部部位へ前記スライドバーに立設された支柱に枢支された伸縮可能な内側伸縮手摺と、この内側伸縮手摺の支柱に一端部が取付けられ、他端部が前記スライドバーの端部に取付けられた開口防止手摺とで構成されているので、前記（１）、（２）と同様な効果が得られるとともに、一方の建物と他方の建物が左右方向に大きく揺れ動いても、外側伸縮手摺および内側伸縮手摺の回動および一方の渡り通路用開口部側をスライド移動させることにより、外側伸縮手摺、内側伸縮手摺および開口防止手摺によって開口部が生じるのを確実に防止することができる。
したがって、安全に使用することができる。
【発明を実施するための最良の形態】
【００１４】
以下、図面に示す本発明を実施するための最良の形態により、本発明を詳細に説明する。
【００１５】
図１ないし図９に示す本発明を実施するための最良の第１の形態において、１は本発明の渡り通路の目地装置で、この渡り通路の目地装置１は一方の建物２の外部通路等の通路３の外壁等の壁４に形成された一方の渡り通路用開口部５と、この一方の渡り通路用開口部５と目地部６を介して設けられた他方の建物７の外部通路等の通路８の外壁等の壁９に形成された他方の渡り通路用開口部１０と、前記一方の渡り通路用開口部５側の床面３ａに形成した凹部１１に、所定間隔で後端部が枢支ピン１２で枢支され、先端部が前記他方の渡り通路用開口部１０側の通路８の床面８ａに敷設された支持プレート１３のほぼ中央部にスライド移動可能に支持された複数個の支持バー１４、１４、１４、１４、１４と、この複数個の支持バー１４、１４、１４、１４、１４の先端部を、該複数個の支持バー１４、１４、１４、１４、１４の軸心方向にスライド移動可能で、かつ軸心と直角方向に移動を阻止する位置決め機構１５と、前記他方の渡り通路用開口部１０が形成された左右部位の床面８ａとの間の壁９、９に形成された左右の切欠部１６、１６と、前記複数個の支持バー１４、１４、１４、１４、１４の中央部寄りの２個の支持バー１４、１４に枢支ピン１７、１７でそれぞれ枢支された、該複数個の支持バー１４、１４、１４、１４、１４を覆う前記渡り通路用開口部５、１０の両端部よりも両端部が外方へ突出する複数個の目地プレート１８、１８Ａ、１８Ａ、１８Ａ、１８Ａと、前記一方、他方の渡り通路用開口部５、１０の端部間を伸縮可能に覆う一対の伸縮手摺１９、１９とで構成されている。
【００１６】
前記位置決め機構１５は図５に示すように、前記支持プレート１３のほぼ中央部に前記複数個の支持バー１４の軸心方向と同方向に形成されたリップミゾ形鋼形状のガイドレール２０と、前記複数個の支持バー１４、１４、１４、１４、１４の先端部を所定間隔に位置させることができるように枢支ピン２１、２１、２１、２１、２１で枢支された接続バー２２と、この接続バー２２あるいは中央部の支持バー１４の先端部の底面に枢支状態で取付けられた、前記ガイドレール２０に沿ってスライド移動可能で、かつ上方への移動を阻止できる逆Ｔ字状のガイド片２３とで構成されている。
【００１７】
前記複数個の目地プレート１８、１８Ａ、１８Ａ、１８Ａ、１８Ａの一方の渡り通路用開口部５側の目地プレート１８はハット形鋼形状、その他の目地プレート１８Ａ、１８Ａ、１８Ａ、１８Ａはクランク形状で、両側部は順次下方へ突出する傾斜面２４、２４に形成されたものが使用されている。
また、両端部には順次下部外方へ突出するガイドプレート２５、２５が取付けられている。
【００１８】
前記一対の伸縮手摺１９、１９は両端部が壁４、９、４、９に枢支ピン２６、２６、２６、２６で枢支状態で取付けられたパンタグラフ形状に形成されたものを使用したが、本発明はこれに限らず、地震等で一方の建物２を他方の建物７が揺れ動き、前後左右方向に移動した場合でも、その揺れ動きに追従できるように伸縮および回動できるものであれば、どんな構造のものを用いてもよい。
【００１９】
上記構成の渡り通路の目地装置１は一方の建物２と他方の建物７間の目地部６が広くなるように、図７に示すように地震等で揺れ動いた場合、複数個の支持バー１４、１４、１４、１４、１４の先端部が一方の建物２側へ、該複数個の支持バー１４、１４、１４、１４、１４の先端部が他方の渡り通路用開口部５近傍までスライド移動して、その揺れ動きを吸収する。
また、目地部６が狭くなるように、図８に示すように地震等で揺れ動いた場合、複数個の支持バー１４、１４、１４、１４、１４の先端部が、反他方の渡り通路用開口部１０側の側壁７ａ近傍までスライド移動してその揺れ動きを吸収する。
すなわち、他方の渡り通路用開口部１０が形成された他方の通路８のほぼ半分の寸法分だけ伸縮する揺れ動きを吸収することができる。
一方の建物２と他方の建物７とが図９に示すように、前後方向に揺れ動いた場合には、複数個の支持バー１４、１４、１４、１４、１４の後端部の枢支部を支点に先端部が左右方向に回動し、その揺れ動きを吸収する。
この時、複数個の支持バー１４、１４、１４、１４、１４の他方の通路８側の左右方向の移動は壁９、９の左右の切欠部１６、１６内でのスライド移動となり、スムーズにスライド移動できるとともに、位置決め機構１５によって、その揺れ動きが停止した場合には複数個の支持バー１４、１４、１４、１４、１４の先端部が元の位置へ自動的に戻る。
[発明を実施するための異なる形態]
【００２０】
次に、図１０ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１０ないし図１２に示す本発明を実施するための第２の形態において、前記本発明を実施するための最良の第１の形態と主に異なる点は、複数個の支持バー１４、１４、１４、１４、１４の中央部を除く部位の支持バー１４、１４間の接続バー２２部位にガイドレール２０を形成した位置決め機構１５Ａと、伸縮筒２７、２７Ａ、２７Ｂを使用する一対の伸縮手摺１９Ａ、１９Ａを用いた点で、このように構成した渡り通路の目地装置１Ａにしても、前記本発明を実施するための最良の第１の形態と同様な作用効果が得られる。
【００２２】
図１３ないし図１５に示す本発明を実施するための第３の形態において、前記本発明を実施するための第２の形態と主に異なる点は、先端部に上部が傾斜面２８で、先端部を除く部位が凹部２９となる先端部材３０を複数本の皿ビス３１で固定した目地プレート本体３２と、この目地プレート本体３２の凹部２９に敷設された合成樹脂シート３３とからなる複数個の目地プレート１８Ｂ、１８Ｃ、１８Ｃ、１８Ｃ、１８Ｃを用いた点で、このように構成した渡り通路の目地装置１Ｂにしても、前記本発明を実施するための第２の形態と同様な作用効果が得られる。なお、凹部２９に合成樹脂シート３３以外の滑り止め用のシート材を取付けてもよい。
【００２３】
図１６ないし図２０に示す本発明を実施するための第４の形態において、前記本発明を実施するための最良の第１の形態と主に異なる点は、一方の渡り通路用開口部５と目地部６を介して設けられた他方の建物７の端部通路８Ａの端部壁９ａ、９ｂに他方の渡り通路用開口部１０Ａを形成するとともに、一方の渡り通路用開口部５の目地部側の床面にほぼ水平方向に固定された、該一方の渡り通路用開口部５の幅寸法に対して少なくとも１．５倍以上、本実施の形態では２倍くらいの長さのガイドレール３４と、このガイドレール３４にスライド移動可能に取付けられた、該ガイドレール３４とほぼ同じ長さ寸法で複数個の支持バー１４の後端部および目地プレート１８Ｄの後端部が枢支ピン１２で枢支されるスライドバー３５と、一端部が前記他方の渡り通路用開口部１０Ａの外側部位の外側壁面９ａにヒンジ部材３６を介して枢支状態で取付けられ、他端部が該外側壁面９ａと対応する部位の前記一方の渡り通路用開口部５の外側端部の壁面４ａにヒンジ部材３７を介して枢支状態で取付けられた伸縮可能な外側伸縮手摺３８と、一端が前記外側壁面９ａと対応する部位の内側壁面９ｂにヒンジ部材３６を介して枢支状態で取付け、他端部が前記一方の渡り通路用開口部５の内側端部部位の前記スライドバー３５に立設された支柱３９にヒンジ部材３７を介して枢支状態で取付けられた伸縮可能な内側伸縮手摺４０と、前記支柱３９に一端部が取付けられ、他端部が前記スライドバー３５の端部に立設された支柱４１に取付けられた複数個のバー部材４２を用いる開口防止手摺４３と、一方の渡り通路用開口部５の床面３ａに取付けた傾斜面２４Ａとを用いた点で、このように構成された渡り通路の目地装置１Ｃにしても、前記本発明を実施するための最良の第１の形態と同様な作用効果が得られるとともに、一方の建物２と他方の建物７が異なる左右方向に揺れ動いた場合、図１９および図２０に示すように外側伸縮手摺３８、内側伸縮手摺４０、開口防止手摺４３によって、複数個の目地プレート１８、１８Ｄの位置する部位の床面および側壁部に隙間が生じるのを確実に防止することができる。
【００２４】
なお、前記外側伸縮手摺３８と前記内側伸縮手摺４０は同一構造で、ヒンジ部材３６が取付けられる一対の縦桟４４と、この一対の縦桟４４、４４の一方の縦桟４４に所定間隔で後端部が溶接等で固定されたほぼ水平方向に突出する複数個のガイド筒４５と、前記一対の縦桟４４、４４の他方の縦桟４４に所定間隔で後端部が溶接等で固定され、前記ガイド筒４５内に先端部がスライド移動可能に挿入される複数個のスライド杆４６とで構成されている。
【００２５】
図２１ないし図２３に示す本発明を実施するための第５の形態において、前記本発明を実施するための第４の形態と主に異なる点は、一対の円筒状の縦桟４４Ａ、４４Ａと、この一対の円筒状の縦桟４４Ａ、４４Ａの一方の縦桟４４Ａに後端部が固定された、該縦桟４４Ａの高さ寸法よりもわずかに小さい寸法の長方形状の筒状のガイド筒４５Ａと、前記一対の円筒状の縦桟４４Ａ、４４Ａの他方の縦桟４４Ａに後端部が固定された、前記ガイド筒４５Ａ内に先端部がスライド移動可能に挿入されるスライド板４７と、前記一対の縦桟４４Ａ、４４Ａを床面に水平方向に回動可能に取付ける取付け軸４８、４８とからなる外側伸縮手摺３８Ａと内側伸縮手摺４０Ａとを用いた点で、このような外側伸縮手摺３８Ａと内側伸縮手摺４０Ａとを用いて構成された渡り通路の目地装置１Ｄにしても、前記本発明を実施するための第４の形態と同様な作用効果が得られる。
【００２６】
なお、前記本発明を実施する最良の第１の形態ないし第５の形態では、５個の支持バーと目地プレートを用いて構成したものについて説明したが、本発明はこれに限らず、３、４、６、７個等の複数個の支持バーや目地プレートを用いてもよい。
また、支持バーと目地プレートの数は同じ、あるいは異なる複数個であってもよい。
さらに、前記本発明を実施する各形態では複数個の支持バー１４、１４、１４、１４、１４の浮き上がりを防止できる位置決め機構１５、１５Ａを用いるものについて説明したが、本発明はこれに限らず、壁９、９に形成した左右の切欠部１６、１６で目地プレート１８Ａの上下方向の遊びを小さく設定することにより、コ字状あるいはＵ字状のガイドレールを用いてもよい。
【産業上の利用可能性】
【００２７】
本発明は渡り通路の目地装置を製造する産業で利用される。
【図面の簡単な説明】
【００２８】
【図１】本発明を実施するための最良の第１の形態の平面図。
【図２】図１の２−２線に沿う断面図。
【図３】図１の３−３線に沿う断面図。
【図４】本発明を実施するための最良の第１の形態の複数個の支持バーの取付け状態の説明図。
【図５】本発明を実施するための最良の第１の形態の位置決め機構の説明図。
【図６】本発明を実施するための最良の第１の形態の複数個の目地プレートの取付け状態の説明図。
【図７】本発明を実施するための最良の第１の形態の目地部が広くなる動作説明図。
【図８】本発明を実施するための最良の第１の形態の目地部が狭くなる動作説明図。
【図９】本発明を実施するための最良の第１の形態の左右方向の動作説明図。
【図１０】本発明を実施するための第２の形態の平面図。
【図１１】図１０の１１−１１線に沿う断面図。
【図１２】図１０の１２−１２線に沿う断面図。
【図１３】本発明を実施するための第３の形態の平面図。
【図１４】図１３の１４−１４線に沿う断面図。
【図１５】図１３の１５−１５線に沿う断面図。
【図１６】本発明を実施するための第４の形態の平面図。
【図１７】図１６の１７−１７線に沿う断面図。
【図１８】本発明を実施するための第４の形態の外側伸縮手摺の説明図。
【図１９】本発明を実施するための第４の形態の異なる左右方向の一方向へ揺れ動いた動作説明図。
【図２０】本発明を実施するための第４の形態の異なる左右方向の他方向へ揺れ動いた動作説明図。
【図２１】本発明を実施するための第５の形態の平面図。
【図２２】図２１の２２−２２線に沿う断面図。
【図２３】本発明を実施するための第５の形態の外側伸縮手摺の説明図。
【符号の説明】
【００２９】
１、１Ａ、１Ｂ、１Ｃ、１Ｄ：渡り通路の目地装置、
２：一方の建物、                            ３：通路、
４：壁、                                            ５：一方の渡り通路用開口部、    
６：目地部、                                                ７：他方の建物、
８、８Ａ：通路、                            ９：壁、
１０、１０Ａ：他方の渡り通路用開口部、
１１：凹部、                                                １２：枢支ピン、
１３：支持プレート、                    １４、１４Ａ、１４Ｂ：支持バー、
１５、１５Ａ：位置決め機構、    １６：左右の切欠部、
１７：枢支ピン、
１８、１８Ａ、１８Ｂ、１８Ｃ、１８Ｄ：目地プレート、
１９、１９Ａ：伸縮手摺、                        ２０：ガイドレール、
２１：枢支ピン、                            ２２：接続バー、
２３：ガイド片、                            ２４、２４Ａ：傾斜面、
２５：ガイドプレート、                ２６：枢支ピン、
２７、２７Ａ、２７Ｂ：伸縮筒、２８：傾斜面、
２９：凹部、                                                ３０：先端部材、
３１：皿ビス、                                ３２：目地プレート本体、
３３：合成樹脂シート、                ３４：ガイドレール、
３５：スライドバー、                    ３６：ヒンジ部材、
３７：ヒンジ部材、                                    ３８、３８Ａ：外側伸縮手摺、
３９：支柱、                                                ４０、４０Ａ：内側伸縮手摺、
４１：支柱、                                                ４２：バー部材、
４３：開口防止手摺、                    ４４、４４Ａ：縦桟、
４５、４５Ａ：ガイド筒、                        ４６：スライド杆、
４７：スライド板、                                    ４８：取付け軸。
【図１】
0004542530.tif 000002
【図２】
0004542530.tif 000003
【図３】
0004542530.tif 000004
【図４】
0004542530.tif 000005
【図５】
0004542530.tif 000006
【図６】
0004542530.tif 000007
【図７】
0004542530.tif 000008
【図８】
0004542530.tif 000009
【図９】
0004542530.tif 000010
【図１０】
0004542530.tif 000011
【図１１】
0004542530.tif 000012
【図１２】
0004542530.tif 000013
【図１３】
0004542530.tif 000014
【図１４】
0004542530.tif 000015
【図１５】
0004542530.tif 000016
【図１６】
0004542530.tif 000017
【図１７】
0004542530.tif 000018
【図１８】
0004542530.tif 000019
【図１９】
0004542530.tif 000020
【図２０】
0004542530.tif 000021
【図２１】
0004542530.tif 000022
【図２２】
0004542530.tif 000023
【図２３】
0004542530.tif 000024